(57)【要約】【課題】直並列回路の製造後に、直列回路の電圧電流特性を変更できるようにすること。【解決手段】実施形態の照明装置は、直並列回路と、定電流回路と、素子とを具備する。直並列回路は、第１の色温度の光を発する複数の第１の発光素子が直列接続された第１の直列回路と第１の色温度と異なる第２の色温度の光を発する複数の第２の発光素子が直列接続された第２の直列回路とが並列に接続された回路である。定電流回路は、供給された電力を変換するとともに、位相制御された交流電圧の導通角に基づいた調光信号、または、外部から入力された調光信号に基づいて、直並列回路に定電流を供給する。素子は、第１または第２の直列回路の少なくとも一方に直列に接続されるとともに、第１または第２の直列回路の電圧電流特性を変化させる。【選択図】図１
2016066487.tif 000002
【特許請求の範囲】
【請求項１】
第１の色温度の光を発する複数の第１の発光素子が直列接続された第１の直列回路と前記第１の色温度と異なる第２の色温度の光を発する複数の第２の発光素子が直列接続された第２の直列回路とが並列に接続された直並列回路と；
供給された電力を変換するとともに、位相制御された交流電圧の導通角に基づいた調光信号、または、外部から入力された調光信号に基づいて、前記直並列回路に定電流を供給する定電流回路と；
前記第１または前記第２の直列回路の少なくとも一方に直列に接続されるとともに、前記第１または前記第２の直列回路の電圧電流特性を変化させる素子と；
を具備することを特徴とする照明装置。
【請求項２】
前記素子は、可変抵抗であることを特徴とする請求項１に記載の照明装置。
【請求項３】
前記素子は、電流駆動素子であることを特徴とする請求項１に記載の照明装置。
【請求項４】
前記電流駆動素子は、コレクタが前記第１または前記第２の直列回路の少なくとも一方に直列に接続されたトランジスタであることを特徴とする請求項３に記載の照明装置。
【請求項５】
前記素子は、電圧駆動素子であることを特徴とする請求項１に記載の照明装置。
【請求項６】
前記電圧駆動素子は、ドレインが前記第１または前記第２の直列回路の少なくとも一方に直列に接続されたＦＥＴ(Field  effect  transistor)であることを特徴とする請求項５に記載の照明装置。
【発明の詳細な説明】
【技術分野】
【０００１】
本発明の実施形態は、照明装置に関する。
【背景技術】
【０００２】
ある色温度の光を発する複数のＬＥＤ（Light  Emitting  Diode）等の発光素子が直列接続された直列回路と、この色温度とは異なる色温度の光を発する複数の発光素子が直列接続された直列回路とが並列に接続された回路（直並列回路）に対して電流を出力する電源回路がある。
【０００３】
ここで、発光素子の直列回路に設けた素子により直列回路の電圧電流特性を変更できるようにすることが望まれる。
【先行技術文献】
【特許文献】
【０００４】
【特許文献１】特開２０１４−２６８８３号公報
【発明の概要】
【発明が解決しようとする課題】
【０００５】
本発明が解決しようとする課題は、発光素子の直列回路に設けた素子により直列回路の電圧電流特性を変更できるようにすることである。
【課題を解決するための手段】
【０００６】
実施形態の照明装置は、直並列回路と、定電流回路と、素子とを具備する。直並列回路は、第１の色温度の光を発する複数の第１の発光素子が直列接続された第１の直列回路と第１の色温度と異なる第２の色温度の光を発する複数の第２の発光素子が直列接続された第２の直列回路とが並列に接続された回路である。定電流回路は、供給された電力を変換するとともに、位相制御された交流電圧の導通角に基づいた調光信号、または、外部から入力された調光信号に基づいて、直並列回路に定電流を供給する。素子は、第１または第２の直列回路の少なくとも一方に直列に接続されるとともに、第１または第２の直列回路の電圧電流特性を変化させる。
【発明の効果】
【０００７】
実施形態の照明装置によれば、発光素子の直列回路に設けた素子により直列回路の電圧電流特性を変更できるという効果が期待できる。
【図面の簡単な説明】
【０００８】
【図１】図１は、第１の実施形態に係る照明装置１の構成の一例を示す図である。
【図２】図２は、ＲＦの値を変化させた場合のＶＦ−ＩＦカーブの傾きの変化の一例について説明するための図である。
【図３】図３は、Ｖ０の値を変化させた場合のＶＦ−ＩＦカーブの位置の変化の一例について説明するための図である。
【図４】図４の（ａ）は、直列回路１２ｂのＶＦ−ＩＦカーブ３２と、直列回路１２ｄのＶＦ−ＩＦカーブ３３との関係の一例を示す図であり、図４の（ｂ）は、図４の（ａ）の例の場合における定電流Ｉ０と照明負荷１２から出力される光の色温度との関係の一例を示す図であり、図４の（ｃ）は、図４の（ａ）の例の場合における定電流Ｉ０と照明負荷１２から出力される光の照度との関係の一例を示す図である。
【図５】図５の（ａ）は、直列回路１２ｂのＶＦ−ＩＦカーブ３２と、直列回路１２ｄのＶＦ−ＩＦカーブ３３との関係の一例を示す図であり、図５の（ｂ）は、図５の（ａ）の例の場合における定電流Ｉ０と照明負荷１２から出力される光の色温度との関係の一例を示す図であり、図５の（ｃ）は、図５の（ａ）の例の場合における定電流Ｉ０と照明負荷１２から出力される光の照度との関係の一例を示す図である。
【図６】図６は、電源回路１０の構成の一例を示す図である。
【図７】図７は、電源回路１０ｅの構成の一例を示す図である。
【図８】図８は、第２の実施形態に係る照明装置２の構成の一例を示す図である。
【図９】図９は、第３の実施形態に係る照明装置３の構成の一例を示す図である。
【図１０】図１０は、第４の実施形態に係る照明装置４の構成の一例を示す図である。
【図１１】図１１は、第５の実施形態に係る照明装置５の構成の一例を示す図である。
【図１２】図１２は、第６の実施形態に係る照明装置６の構成の一例を示す図である。
【図１３】図１３は、第７の実施形態に係る照明装置７の構成の一例を示す図である。
【図１４】図１４は、第８の実施形態に係る照明装置８の構成の一例を示す図である。
【図１５】図１５は、第９の実施形態に係る照明装置９の構成の一例を示す図である。
【図１６】図１６は、第１０の実施形態に係る照明装置７０の構成の一例を示す図である。
【図１７】図１７は、第１１の実施形態に係る照明装置７１の構成の一例を示す図である。
【図１８】図１８は、第１２の実施形態に係る照明装置７２の構成の一例を示す図である。
【発明を実施するための形態】
【０００９】
以下で説明する実施形態の照明装置は、直並列回路と、定電流回路と、素子とを具備する。直並列回路は、第１の色温度の光を発する複数の第１の発光素子が直列接続された第１の直列回路と第１の色温度と異なる第２の色温度の光を発する複数の第２の発光素子が直列接続された第２の直列回路とが並列に接続された回路である。定電流回路は、供給された電力を変換するとともに、位相制御された交流電圧の導通角に基づいた調光信号、または、外部から入力された調光信号に基づいて、直並列回路に定電流を供給する。素子は、第１または第２の直列回路の少なくとも一方に直列に接続されるとともに、第１または第２の直列回路の電圧電流特性を変化させる。
【００１０】
また、以下で説明する実施形態に係る照明装置において、素子は、可変抵抗である。
【００１１】
また、以下で説明する実施形態に係る照明装置において、素子は、電流駆動素子である。
【００１２】
また、以下で説明する実施形態に係る照明装置において、電流駆動素子は、コレクタが第１または第２の直並列回路の少なくとも一方に接続されたトランジスタである。
【００１３】
また、以下で説明する実施形態に係る照明装置において、素子は、電圧駆動素子である。
【００１４】
また、以下で説明する実施形態に係る照明装置において、電圧駆動素子は、ドレインが第１または第２の直並列回路の少なくとも一方に直列に接続されたＦＥＴ（Field  effect  transistor）である。
【００１５】
以下に、各実施形態について図面を参照しつつ説明する。各実施形態において同一の部位には同一の符号を付し、重複する説明は省略される。
【００１６】
（第１の実施形態）
図１は、第１の実施形態に係る照明装置１の構成の一例を示す図である。図１の例に示すように、照明装置１は、電源回路１０と、照明負荷１２とを有する。
【００１７】
電源回路１０は、位相調光器９１と接続されている。また、電源回路１０は、接点１１ａ、１１ｂを介して、照明負荷１２と接続されている。位相調光器９１は、外部電源である商用交流電源９０と接続されている。位相調光器９１は、ユーザにより操作される調光ボリューム（図示せず）を有し、調光ボリュームによって指定された調光率に応じた導通角で、商用交流電源９０から供給される交流電圧を位相制御し、位相制御された交流電圧を電源回路１０に供給する。また、位相調光器９１は、整流素子としてのダイオード９２ａ及びダイオード９２ｂのそれぞれのアノードと接続されている。ここで、ダイオード９２ａ及びダイオード９２ｂのそれぞれのカソードは、調光制御回路９３に接続されている。位相調光器９１は、ダイオード９２ａ及びダイオード９２ｂを介して、位相制御された交流電圧を調光制御回路９３にも供給する。なお、電源回路１０の調光制御回路９３に入力される調光信号は位相制御に限られず、４線式調光方式であってもよい。
【００１８】
本実施形態に係る調光制御回路９３は、公知の技術を用いて、位相制御された交流電圧から導通角を検出する。そして、調光制御回路９３は、検出した導通角を電源回路１０の後述する定電流回路１０ｄに通知する。
【００１９】
また、位相制御された交流電圧が供給されると、電源回路１０は、供給された交流電圧を直流電圧に変換する。そして、電源回路１０では、この直流電圧により動作する後述の定電流回路１０ｄが、位相制御された交流電圧の導通角に基づいた電流値の定電流を照明負荷１２に流す。このようにして、電源回路１０は、導通角に基づいた照度の光を発するように、照明負荷１２を制御する。
【００２０】
照明負荷１２は、オレンジ色の光、例えば、２０００Ｋ程度の色温度の光を発する複数の発光素子１２ａが直列接続された直列回路１２ｂと、白色の光、例えば、６５００Ｋ程度の色温度の光を発する複数の発光素子１２ｃが直列接続された直列回路１２ｄとが並列に接続された回路（直並列回路）１２ｅを含む。
【００２１】
後述の定電流回路１０ｄによって、位相制御された交流電圧の導通角に基づいた電流値の定電流Ｉ０が照明負荷１２の直並列回路１２ｅに流されると、直列回路１２ｂ及び直列回路１２ｄのそれぞれには、それぞれの直列回路のＶＦ−ＩＦ特性（電圧電流特性）に応じた電流が流れる。
【００２２】
直列回路の電圧電流特性は、次の式で表される。
ＶＦ＝Ｖ０＋ＲＦ×ＩＦ
【００２３】
ＶＦの値が大きくなるほど、その電圧電流特性を有する直列回路には、大きな電流が流れる。また、電圧電流特性が示すＶＦ−ＩＦ特性曲線（ＶＦ−ＩＦカーブ）は、ＶＦを横軸とし、ＩＦを縦軸とするグラフで表した場合には、ＲＦの値が大きくなるほど、傾きが小さくなり、ＲＦの値が小さくなるほど、傾きが大きくなる。また、ＶＦ−ＩＦカーブは、Ｖ０の値が大きくなるほど、その位置が、横軸の値が大きくなる方向に移動し、Ｖ０の値が小さくなるほど、その位置が、横軸の値が小さくなる方向に移動する。
【００２４】
図２は、ＲＦの値を変化させた場合のＶＦ−ＩＦカーブの傾きの変化の一例について説明するための図である。例えば、ＲＦの値を大きくした場合には、位置Ｐ１に位置するＶＦ−ＩＦカーブ３０が位置Ｐ２に移動するように、ＶＦ−ＩＦカーブ３０の傾きが小さくなる。また、ＲＦの値を小さくした場合には、位置Ｐ２に位置するＶＦ−ＩＦカーブ３０が位置Ｐ１に移動するように、ＶＦ−ＩＦカーブ３０の傾きが大きくなる。
【００２５】
図３は、Ｖ０の値を変化させた場合のＶＦ−ＩＦカーブの位置の変化の一例について説明するための図である。例えば、Ｖ０の値を大きくした場合には、位置Ｐ３に位置するＶＦ−ＩＦカーブ３１が位置Ｐ４に移動するように、ＶＦ−ＩＦカーブ３１の位置が横軸の値が大きくなる方向に移動する。また、Ｖ０の値を小さくした場合には、位置Ｐ４に位置するＶＦ−ＩＦカーブ３１が位置Ｐ３に移動するように、ＶＦ−ＩＦカーブ３１の位置が横軸の値が小さくなる方向に移動する。
【００２６】
このように、ＲＦ等の値を変化させることで、ＶＦ−ＩＦカーブの傾きなどを変化させることができるので、例えば、直並列回路１２ｅの実装後、または、直並列回路１２ｅの製造後に、直列回路１２ｂ等の直列回路の電圧電流特性を変更できれば便利である。
【００２７】
そこで、本実施形態では、図１に示すように、直列回路１２ｂに、可変抵抗１３が直列に接続されている。これにより、ユーザは、直並列回路１２ｅの製造後であっても、可変抵抗１３の抵抗値を変更することができる。また、工場での検査工程において、直並列回路１２ｅの実装後であっても、可変抵抗１３の抵抗値を変更、調整することができる。
【００２８】
ここで、ユーザが可変抵抗１３の抵抗値を大きくした場合には、ＲＦの値が大きくなる。このため、ユーザが可変抵抗１３の抵抗値を大きくした場合には、直列回路１２ｂのＶＦ−ＩＦカーブの傾きが小さくなる。また、ユーザが可変抵抗１３の抵抗値を小さくした場合には、ＲＦの値が小さくなる。このため、ユーザが可変抵抗１３の抵抗値を小さくした場合には、直列回路１２ｂのＶＦ−ＩＦカーブの傾きが大きくなる。したがって、ＶＦ−ＩＦカーブの傾きを大きくしたい場合には、ユーザは、可変抵抗１３の抵抗値を小さくすればよい。また、ＶＦ−ＩＦカーブの傾きを小さくしたい場合には、ユーザは、可変抵抗１３の抵抗値を大きくすればよい。
【００２９】
例えば、図４の（ａ）の例に示すように、直列回路１２ｂのＶＦ−ＩＦカーブ３２と、直列回路１２ｄのＶＦ−ＩＦカーブ３３とが交わらない関係である場合には、電源回路１０が定電流の電流値を変えて、直列回路１２ｂ及び直列回路１２ｄの調光を行った場合であっても、照明負荷１２から出力される光の色はあまり変化しない。しかしながら、ユーザが可変抵抗１３の抵抗値を大きくすると、図５の（ａ）の例に示すように、直列回路１２ｂのＶＦ−ＩＦカーブ３２の傾きが小さくなり、ＶＦ−ＩＦカーブ３２とＶＦ−ＩＦカーブ３３とが交わるようになる。ＶＦ−ＩＦカーブ３２とＶＦ−ＩＦカーブ３３とが交わる関係である場合には、電源回路１０が定電流の電流値を変えて、直列回路１２ｂ及び直列回路１２ｄの調光を行ったときに、照明負荷１２から出力される光の色は大きく変化するようになる。
【００３０】
図４の（ｂ）は、図４の（ａ）の例の場合における定電流Ｉ０と照明負荷１２から出力される光の色温度との関係の一例を示す図である。図４の（ｃ）は、図４の（ａ）の例の場合における定電流Ｉ０と照明負荷１２から出力される光の照度との関係の一例を示す図である。図４の（ｂ）及び図４の（ｃ）が示す関係から分かるとおり、定電流Ｉ０が大きくなるにつれて照度も大きくなっているものの、色温度はほとんど変わらない。したがって、図４の（ａ）の例の場合では、電源回路１０は、調光するだけで調色を行うことができない。
【００３１】
図５の（ｂ）は、図５の（ａ）の例の場合における定電流Ｉ０と照明負荷１２から出力される光の色温度との関係の一例を示す図である。図５の（ｃ）は、図５の（ａ）の例の場合における定電流Ｉ０と照明負荷１２から出力される光の照度との関係の一例を示す図である。図５の（ｂ）及び図５の（ｃ）が示す関係から分かるとおり、定電流Ｉ０が大きくなるにつれて照度も大きくなり、色温度も大きくなる。したがって、図５の（ａ）の例の場合では、電源回路１０は、調光する（直列回路１２ｂ及び直列回路１２ｄに供給する電流または電圧を変化させる）だけで調色を行うことができる。よって、本実施形態に係る照明装置１のユーザは、可変抵抗１３の抵抗値を変更すれば、調光するだけで調色も行えるような電源回路１０に変更することができる。
【００３２】
以上のことから、本実施形態に係る照明装置１によれば、直並列回路１２ｅの実装後、または、直並列回路１２ｅの製造後に、直列回路１２ｂの電圧電流特性を変更できる。なお、可変抵抗１３は、直列回路１２ｂ及び直列回路１２ｄのうち少なくとも一方の直列回路に直列接続されていればよい。
【００３３】
また、以上のことから、可変抵抗１３は、直列回路の電圧電流特性を変化させる素子であるといえる。なお、可変抵抗１３は、このような素子の一例に過ぎない。
【００３４】
図６は、電源回路１０の構成の一例を示す図である。図６の例に示すように、電源回路１０は、直流電圧変換部１０ａと、定電圧回路１０ｂと、平滑コンデンサ１０ｃと、定電流回路１０ｄとを有する。
【００３５】
直流電圧変換部１０ａは、供給された交流電圧を直流電圧に変換する。例えば、直流電圧変換部１０ａは、少なくとも整流回路を有しており、この整流回路が、供給された交流電圧を全波整流して出力する。
【００３６】
定電圧回路１０ｂは、スイッチング素子を備えた昇圧チョッパ回路又は降圧チョッパ回路などを有しており、昇圧チョッパ回路又は降圧チョッパ回路が、直流電圧変換部１０ａにより全波整流された交流電圧を昇圧又は降圧して定圧電化して出力する。
【００３７】
平滑コンデンサ１０ｃは、定電圧回路１０ｂから出力された電圧を平滑化して、所定の直流定電圧を定電流回路１０ｄに供給する。
【００３８】
定電流回路１０ｄは、平滑コンデンサ１０ｃにより平滑化されて出力された所定の直流定電圧により動作するものである。定電流回路１０ｄは、調光制御回路９３から通知された導通角に基づいた電流値の定電流を照明負荷１２に流す。
【００３９】
以上、本実施形態に係る照明装置１について説明した。本実施形態に係る照明装置１によれば、直並列回路１２ｅの製造後に、直列回路１２ｂの電圧電流特性を変更できる。また、照明装置１の１つの電源回路１０により、調光する（直列回路１２ｂ及び直列回路１２ｄに供給する電流または電圧を変化させる）とともに、調色を行うことができる。
【００４０】
なお、上述した電源回路１０以外にも他の電源回路を用いることもできる。そこで、他の電源回路を図７を参照して説明する。
【００４１】
図７は、電源回路１０ｅの構成の一例を示す図である。電源回路１０ｅは、調光制御回路９４から、調光率を示す調光信号が入力される点が図９の例に示す電源回路１０と異なる。調光制御回路９４は、外部から調光信号を受信すると、受信した調光信号を定電流回路１０ｄに出力する。
【００４２】
定電流回路１０ｄは、調光制御回路９４から出力された調光信号の調光率に基づいた電流値の定電流を照明負荷１２に流す。
【００４３】
（第２の実施形態）
次に、第２の実施形態に係る照明装置について説明する。図８は、第２の実施形態に係る照明装置２の構成の一例を示す図である。照明装置２は、図１に示す照明装置１の可変抵抗１３に代えて、抵抗１４と、可変の直流電源１５と、スイッチ１６とを有する点が、照明装置１と異なる。
【００４４】
図８の例に示すように、抵抗１４の一端は、直列回路１２ｂと接続されている。抵抗１４の他端は、可変の直流電源１５の一端と接続されている。可変の直流電源１５の他端は、接点１１ｂと接続されている。すなわち、抵抗１４及び可変の直流電源１５は、直列回路１２ｂと直列に接続されている。ユーザは、直並列回路１２ｅの製造後、または、直並列回路１２ｅの製造後であっても、可変の直流電源１５の電圧値を変更することができる。
【００４５】
また、スイッチ１６の一端は、抵抗１４の一端に接続されている。スイッチ１６の他端は、接点１１ｂと接続されている。すなわち、スイッチ１６は、抵抗１４及び可変の直流電源１５と並列に接続されている。なお、抵抗１４、可変の直流電源１５及びスイッチ１６は、直列回路の電圧電流特性を変化させる素子の一例である。
【００４６】
調光制御回路９３は、ユーザの指示によって、スイッチ１６のオンとオフとを切り替えることができる。また、調光制御回路９３は、ユーザの指示によって、可変の直流電源１５の電圧値を設定することができる。すなわち、ユーザは、直並列回路１２ｅの実装後、または、直並列回路１２ｅの製造後であっても、可変の直流電源１５の電圧値を変更することができる。
【００４７】
スイッチ１６をオフにした状態で、ユーザが、調光制御回路９３を介して、可変の直流電源１５の電圧値を調整することにより、直列回路１２ｂのＶ０の値を調整することができる。例えば、可変の直流電源１５の電圧値が大きくなると、直列回路１２ｂのＶ０の値も大きくなり、可変の直流電源１５の電圧値が小さくなると、直列回路１２ｂのＶ０の値も小さくなる。したがって、ユーザは、可変の直流電源１５の電圧値を調整することにより、直列回路１２ｂの電圧電流特性を変更することができる。よって、本実施形態に係る照明装置２によれば、直並列回路１２ｅの実装後、または、直並列回路１２ｅの製造後に、直列回路１２ｂの電圧電流特性を変更できる。また、照明装置２の１つの電源回路１０により、調光する（直列回路１２ｂ及び直列回路１２ｄに供給する電流または電圧を変化させる）とともに、調色を行うことができる。
【００４８】
また、スイッチ１６をオンにした場合には、直列回路１２ｂ及び直列回路１２ｄのうち、ＶＦの値が小さい方の直列回路に、多くの電流が流れる。よって、本実施形態に係る照明装置２によれば、可変の直流電源１５の電圧値の調整、及び、スイッチ１６のオンとオフとの切り替えによって、調光時の色温度の変化を大きくすることができる。
【００４９】
（第３の実施形態）
次に、第３の実施形態に係る照明装置について説明する。図９は、第３の実施形態に係る照明装置３の構成の一例を示す図である。照明装置３は、図８に示す照明装置２の可変の直流電源１５に代えて、スイッチ１７を有する点が、照明装置２と異なる。
【００５０】
調光制御回路９３は、ユーザの指示によって、スイッチ１７のオンとオフとを切り替えることができる。
【００５１】
スイッチ１６をオンにし、スイッチ１７をオフにすると、直列回路１２ｂのＲＦが小さくなるので、直列回路１２ｂの電圧電流特性の傾きが大きくなる。一方、スイッチ１６をオフにし、スイッチ１７をオンにすると、直列回路１２ｂのＲＦが大きくなるので、直列回路１２ｂの電圧電流特性の傾きが小さくなる。よって、本実施形態に係る照明装置３によれば、直並列回路１２ｅの実装後、または、直並列回路１２ｅの製造後に、直列回路１２ｂの電圧電流特性を変更できる。また、照明装置３の１つの電源回路１０により、調光する（直列回路１２ｂ及び直列回路１２ｄに供給する電流または電圧を変化させる）とともに、調色を行うことができる。なお、スイッチ１７は、直列回路の電圧電流特性を変化させる素子の一例である。
【００５２】
また、スイッチ１６及びスイッチ１７をオフにすると、直列回路１２ｄの発光素子１２ｃからのみ光が発せられる。すなわち、単色となるように調光することができる。したがって、本実施形態に係る照明装置３によれば、スイッチ１６及びスイッチ１７のオンとオフとの切り替えによって、調光時の色温度の変化を大きくすることができる。
【００５３】
（第４の実施形態）
次に、第４の実施形態に係る照明装置について説明する。図１０は、第４の実施形態に係る照明装置４の構成の一例を示す図である。照明装置４は、図１に示す照明装置１の可変抵抗１３に代えて、電流駆動素子としてのトランジスタ１８を有する点が、照明装置１と異なる。
【００５４】
図１０に示すように、トランジスタ１８のコレクタが直列回路１２ｂの他端と接続され、エミッタが接点１１ｂに接続され、ベースが調光制御回路９３に接続されている。すなわち、トランジスタ１８は、直列回路１２ｂと直列に接続されている。
【００５５】
調光制御回路９３は、ユーザの指示によって、トランジスタ１８のベース電流の大きさを調整することができる。なお、トランジスタ１８のベース電流の大きさを制御することで、コレクタとエミッタとの間のインピーダンスの大きさを制御することができる。このインピーダンスが大きくなると、直列回路１２ｂのＲＦが大きくなり、インピーダンスが小さくなると、直列回路１２ｂのＲＦが小さくなる。したがって、ユーザは、トランジスタ１８のベース電流の大きさを調整することにより、直列回路１２ｂの電圧電流特性を変更することができる。よって、本実施形態に係る照明装置４によれば、直並列回路１２ｅの実装後、または、直並列回路１２ｅの製造後に、直列回路１２ｂの電圧電流特性を変更できる。また、照明装置４の１つの電源回路１０により、調光する（直列回路１２ｂ及び直列回路１２ｄに供給する電流または電圧を変化させる）とともに、調色を行うことができる。なお、トランジスタ１８は、直列回路の電圧電流特性を変化させる素子の一例である。
【００５６】
（第５の実施形態）
次に、第５の実施形態に係る照明装置について説明する。図１１は、第５の実施形態に係る照明装置５の構成の一例を示す図である。照明装置５は、可変の直流電源１９と抵抗２０とを有する点が、図１０に示す照明装置４と異なる。
【００５７】
図１１に示すように、可変の直流電源１９は、抵抗２０を介して、トランジスタ１８のベースに接続されている。
【００５８】
調光制御回路９３は、ユーザの指示によって、可変の直流電源１９の出力電圧の大きさを調整することができる。ユーザは、出力電圧の大きさを制御することで、トランジスタ１８のベース電流の大きさを制御することができる。したがって、ユーザは、出力電圧の大きさを制御することで、直列回路１２ｂの電圧電流特性を変更することができる。よって、本実施形態に係る照明装置５によれば、直並列回路１２ｅの実装後、または、直並列回路１２ｅの製造後に、直列回路１２ｂの電圧電流特性を変更できる。また、照明装置５の１つの電源回路１０により、調光する（直列回路１２ｂ及び直列回路１２ｄに供給する電流または電圧を変化させる）とともに、調色を行うことができる。なお、可変の直流電源１９及び抵抗２０は、直列回路の電圧電流特性を変化させる素子の一例である。
【００５９】
（第６の実施形態）
次に、第６の実施形態に係る照明装置について説明する。図１２は、第６の実施形態に係る照明装置６の構成の一例を示す図である。照明装置６は、抵抗２１を有する点が、図１０に示す照明装置４と異なる。
【００６０】
図１２に示すように、抵抗２１の一端は、トランジスタ１８のエミッタに接続されている。抵抗２１の他端は、接点１１ｂに接続されている。
【００６１】
本実施形態では、第４の実施形態と同様に、ユーザは、トランジスタ１８のベース電流の大きさを調整することにより、直列回路１２ｂの電圧電流特性を変更することができる。よって、本実施形態に係る照明装置６によれば、直並列回路１２ｅの実装後、または、直並列回路１２ｅの製造後に、直列回路１２ｂの電圧電流特性を変更できる。また、照明装置６の１つの電源回路１０により、調光する（直列回路１２ｂ及び直列回路１２ｄに供給する電流または電圧を変化させる）とともに、調色を行うことができる。なお、抵抗２１は、直列回路の電圧電流特性を変化させる素子の一例である。
【００６２】
本実施形態では、トランジスタ１８を電流駆動素子に加えて、スイッチング素子としても用いる。調光制御回路９３は、ユーザの指示により、スイッチング素子としてのトランジスタ１８をオフさせると、直列回路１２ｄの発光素子１２ｃからのみ光が発せられる。すなわち、単色となるように調光することができる。したがって、本実施形態に係る照明装置６によれば、トランジスタ１８のオンとオフとの切り替えによって、調光時の色温度の変化を大きくすることができる。
【００６３】
（第７の実施形態）
次に、第７の実施形態に係る照明装置について説明する。図１３は、第７の実施形態に係る照明装置７の構成の一例を示す図である。照明装置７は、スイッチング素子としてのトランジスタ２２を有する点が、図１２に示す照明装置６と異なる。
【００６４】
図１３に示すように、トランジスタ２２のコレクタは、トランジスタ１８のエミッタ及び抵抗２１の一端に接続されている。また、トランジスタ２２のエミッタは、接点１１ｂに接続され、ベースは、調光制御回路９３に接続されている。
【００６５】
本実施形態では、第６の実施形態と同様に、ユーザは、トランジスタ１８のベース電流の大きさを調整することにより、直列回路１２ｂの電圧電流特性を変更することができる。また、本実施形態では、トランジスタ２２をスイッチング素子として用いる。調光制御回路９３は、ユーザの指示により、スイッチング素子としてのトランジスタ２２をオンさせると、直列回路１２ｂのＲＦの値を小さくすることができる。よって、本実施形態に係る照明装置７によれば、直並列回路１２ｅの実装後、または、直並列回路１２ｅの製造後に、直列回路１２ｂの電圧電流特性を変更できる。また、照明装置７の１つの電源回路１０により、調光する（直列回路１２ｂ及び直列回路１２ｄに供給する電流または電圧を変化させる）とともに、調色を行うことができる。なお、トランジスタ２２は、直列回路の電圧電流特性を変化させる素子の一例である。
【００６６】
また、本実施形態では、第６の実施形態と同様に、トランジスタ１８のオンとオフとの切り替えによって、調光時の色温度の変化を大きくすることができる。
【００６７】
（第８の実施形態）
次に、第８の実施形態に係る照明装置について説明する。図１４は、第８の実施形態に係る照明装置８の構成の一例を示す図である。照明装置８は、図１０に示す照明装置４のトランジスタ１８に代えて、電圧駆動素子及びインピーダンス可変素子としてのＦＥＴ２３を有する点が、照明装置４と異なる。
【００６８】
図１４に示すように、ＦＥＴ２３のドレインが直列回路１２ｂの他端と接続され、ソースが接点１１ｂに接続され、ゲートが調光制御回路９３に接続されている。すなわち、ＦＥＴ２３は、直列回路１２ｂと直列に接続されている。
【００６９】
調光制御回路９３は、ユーザの指示によって、ＦＥＴ２３のゲートに印加される電圧の大きさを調整することができる。なお、ＦＥＴ２３のゲートに印加される電圧の大きさを制御することで、ドレインとソースとの間のインピーダンスの大きさを制御することができる。このインピーダンスが大きくなると、直列回路１２ｂのＲＦが大きくなり、インピーダンスが小さくなると、直列回路１２ｂのＲＦが小さくなる。したがって、ユーザは、ＦＥＴ２３のゲートに印加される電圧の大きさを調整することにより、直列回路１２ｂの電圧電流特性を変更することができる。よって、本実施形態に係る照明装置８によれば、直並列回路１２ｅの実装後、または、直並列回路１２ｅの製造後に、直列回路１２ｂの電圧電流特性を変更できる。また、照明装置８の１つの電源回路１０により、調光する（直列回路１２ｂ及び直列回路１２ｄに供給する電流または電圧を変化させる）とともに、調色を行うことができる。なお、ＦＥＴ２３は、直列回路の電圧電流特性を変化させる素子の一例である。
【００７０】
なお、ＦＥＴ２３をスイッチング素子として用いることもできる。例えば、調光制御回路９３は、ユーザの指示により、スイッチング素子としてのＦＥＴ２３をオフさせると、直列回路１２ｄの発光素子１２ｃからのみ光が発せられる。すなわち、単色となるように調光することができる。したがって、本実施形態に係る照明装置８によれば、ＦＥＴ２３のオンとオフとの切り替えによって、調光時の色温度の変化を大きくすることができる。
【００７１】
（第９の実施形態）
次に、第９の実施形態に係る照明装置について説明する。図１５は、第９の実施形態に係る照明装置９の構成の一例を示す図である。照明装置９は、抵抗２４を有する点が、図１４に示す照明装置８と異なる。
【００７２】
図１５に示すように、抵抗２４の一端は、ＦＥＴ２３のソースに接続されている。抵抗２４の他端は、接点１１ｂに接続されている。
【００７３】
本実施形態では、第８の実施形態と同様に、ユーザは、ＦＥＴ２３のゲートに印加される電圧の大きさを調整することにより、直列回路１２ｂの電圧電流特性を変更することができる。よって、本実施形態に係る照明装置９によれば、直並列回路１２ｅの実装後、または、直並列回路１２ｅの製造後に、直列回路１２ｂの電圧電流特性を変更できる。また、照明装置９の１つの電源回路１０により、調光する（直列回路１２ｂ及び直列回路１２ｄに供給する電流または電圧を変化させる）とともに、調色を行うことができる。なお、抵抗２４は、直列回路の電圧電流特性を変化させる素子の一例である。
【００７４】
また、本実施形態では、トランジスタ１８をスイッチング素子として用いた場合には、第８の実施形態と同様に、ＦＥＴ２３のオンとオフとの切り替えによって、調光時の色温度の変化を大きくすることができる。
【００７５】
（第１０の実施形態）
次に、第１０の実施形態に係る照明装置について説明する。図１６は、第１０の実施形態に係る照明装置７０の構成の一例を示す図である。照明装置７０は、スイッチング素子としてのＦＥＴ２５を有する点が、図１５に示す照明装置９と異なる。
【００７６】
図１６に示すように、ＦＥＴ２５のドレインは、ＦＥＴ２３のソース及び抵抗２４の一端に接続されている。また、ＦＥＴ２５のソースは、接点１１ｂに接続され、ゲートは、調光制御回路９３に接続されている。
【００７７】
本実施形態では、第９の実施形態と同様に、ユーザは、ＦＥＴ２３のゲートに印加される電圧の大きさを調整することにより、直列回路１２ｂの電圧電流特性を変更することができる。また、本実施形態では、ＦＥＴ２５をスイッチング素子として用いる。調光制御回路９３は、ユーザの指示により、スイッチング素子としてのＦＥＴ２５をオンさせると、直列回路１２ｂのＲＦの値を小さくすることができる。よって、本実施形態に係る照明装置７０によれば、直並列回路１２ｅの実装後、または、直並列回路１２ｅの製造後に、直列回路１２ｂの電圧電流特性を変更できる。また、照明装置７０の１つの電源回路１０により、調光する（直列回路１２ｂ及び直列回路１２ｄに供給する電流または電圧を変化させる）とともに、調色を行うことができる。なお、ＦＥＴ２５は、直列回路の電圧電流特性を変化させる素子の一例である。
【００７８】
また、本実施形態では、第９の実施形態と同様に、ＦＥＴ２３のオンとオフとの切り替えによって、調光時の色温度の変化を大きくすることができる。
【００７９】
なお、製造時に、直列回路１２ｂの電圧電流特性及び直列回路１２ｄの電圧電流特性が所望の電圧電流特性となるように製造することもできる。そこで、これら２つの電圧電流特性が製造時に所望の電圧電流特性となっている照明装置について図１７及び図１８を参照して説明する。
【００８０】
（第１１の実施形態）
次に、第１１の実施形態に係る照明装置について説明する。図１７は、第１１の実施形態に係る照明装置７１の構成の一例を示す図である。照明装置７１は、可変抵抗１３が設けられていない点が、図１に示す照明装置１と異なる。
【００８１】
本実施形態に係る照明装置７１は、製造時に、直列回路１２ｂの電圧電流特性及び直列回路１２ｄの電圧電流特性が所望の電圧電流特性となるように発光素子１２ａの種類及び数、発光素子１２ｃの種類及び数が決められる。例えば、Ｖ０及びＲＦが所望の値となるように発光素子１２ａの種類及び数、発光素子１２ｃの種類及び数が決められる。そして、決められた種類及び数の発光素子１２ａを直列接続することで直列回路１２ｂが製造され、決められた種類及び数の発光素子１２ｃを直列接続することで直列回路１２ｄが製造される。したがって、本実施形態に係る照明装置７１によれば、所望の電圧電流特性を有することができる。また、照明装置７１の１つの電源回路１０により、調光する（直列回路１２ｂ及び直列回路１２ｄに供給する電流または電圧を変化させる）とともに、調色を行うことができる。
【００８２】
（第１２の実施形態）
次に、第１２の実施形態に係る照明装置について説明する。図１８は、第１２の実施形態に係る照明装置７２の構成の一例を示す図である。照明装置７２は、抵抗２６を有する点が、図１７に示す照明装置７１と異なる。
【００８３】
図１８に示すように、抵抗２６の一端は、直列回路１２ｂの他端に接続されている。抵抗２６の他端は、接点１１ｂに接続されている。
【００８４】
本実施形態に係る照明装置７２は、製造時に、直列回路１２ｂの電圧電流特性及び直列回路１２ｄの電圧電流特性が所望の電圧電流特性となるように発光素子１２ａの種類及び数、発光素子１２ｃの種類及び数、並びに、抵抗２６が決められる。例えば、Ｖ０及びＲＦが所望の値となるように発光素子１２ａの種類及び数、発光素子１２ｃの種類及び数、並びに、抵抗２６が決められる。そして、決められた種類及び数の発光素子１２ａと抵抗２６とを直列接続することで直列回路１２ｂが製造され、決められた種類及び数の発光素子１２ｃを直列接続することで直列回路１２ｄが製造される。したがって、本実施形態に係る照明装置７２によれば、所望の電圧電流特性を有することができる。また、照明装置７２の１つの電源回路１０により、調光する（直列回路１２ｂ及び直列回路１２ｄに供給する電流または電圧を変化させる）とともに、調色を行うことができる。
【００８５】
以上、第１の実施形態〜第１２の実施形態について説明した。第１の実施形態〜第１０の実施形態によれば、発光素子の直列回路に設けた素子により直列回路の電圧電流特性を変更することができる。なお、第２の実施形態〜第１２の実施形態において、第１の実施形態と同様に、電源回路１０に代えて、図７に示す電源回路１０ｅを用いることができる。
【００８６】
また、第２の実施形態〜第１２の実施形態において、第１の実施形態と同様に、直列回路の電圧電流特性を変化させる素子を、第１の直列回路１２ｂ及び第２の直列回路１２ｄのうち少なくとも一方の直列回路に直列に接続してもよい。
【００８７】
本発明のいくつかの実施形態および実施例を説明したが、これらの実施形態または実施
例は、例として提示したものであり、発明の範囲を限定することは意図していない。これ
ら新規な実施形態または実施例は、その他の様々な形態で実施されることが可能であり、
発明の要旨を逸脱しない範囲で、種々の省略、置き換え、変更を行うことができる。これ
ら実施形態または実施例やその変形は、発明の範囲や要旨に含まれるとともに、特許請求
の範囲に記載された発明とその均等の範囲に含まれる。
【符号の説明】
【００８８】
１        照明装置
１２ｅ    直並列回路
１３      可変抵抗
【図１】
2016066487.tif 000003
【図２】
2016066487.tif 000004
【図３】
2016066487.tif 000005
【図４】
2016066487.tif 000006
【図５】
2016066487.tif 000007
【図６】
2016066487.tif 000008
【図７】
2016066487.tif 000009
【図８】
2016066487.tif 000010
【図９】
2016066487.tif 000011
【図１０】
2016066487.tif 000012
【図１１】
2016066487.tif 000013
【図１２】
2016066487.tif 000014
【図１３】
2016066487.tif 000015
【図１４】
2016066487.tif 000016
【図１５】
2016066487.tif 000017
【図１６】
2016066487.tif 000018
【図１７】
2016066487.tif 000019
【図１８】
2016066487.tif 000020